(57)【要約】  本発明は、パス接続領域（２２）を有する導電パス（２１）を備える電子装置（２）と協働するように構成されたテキスタイル装置（１）に関する。テキスタイル装置（１）は、前記テキスタイル装置（１）と前記電子装置（２）との電気的接続を確実なものにするために、導電パス（２１）のパス接続領域（２２）と接触するように構成された伸縮性接続領域（１２）に接続された導電部（１１）を含む第１のテキスタイル部分（１０）を備える。伸縮性接続領域（１２）は、導電性テキスタイル、又はフレキシブルな導電性フィルムで被覆されたテキスタイルを含む。テキスタイル装置（１）はまた、第１のテキスタイル部分（１０）と第２のテキスタイル部分（１３）との間に画定され、電子装置（２）を所定の位置に維持して、伸縮性接続領域（１２）とパス接続領域（２２）との電気的接続を確実なものにするように構成されたコンパートメントを備える。【選択図】図１
2022500189.tif 000002
【特許請求の範囲】
【請求項１】
パス接続領域（２２）を有する導電パス（２１）を備える電子装置（２）と協働するように構成されたテキスタイル装置（１）であって、
前記テキスタイル装置（１）と前記電子装置（２）との電気的接続を確実なものにするために前記パス接続領域（２２）と接触するように構成された伸縮性接続領域（１２）に接続された導電部（１１）を含む第１のテキスタイル部分（１０）であって、前記伸縮性接続領域（１２）は、導電性テキスタイル、又はフレキシブルな導電性フィルムで被覆されたテキスタイルを含む第１のテキスタイル部分（１０）と、
前記第１のテキスタイル部分（１０）と第２のテキスタイル部分（１３）との間に画定され、前記電子装置（２）を前記テキスタイル装置（１）に対して所定の位置に維持し、前記伸縮性接続領域（１２）と前記パス接続領域（２２）との電気的接続を確実なものにするように構成されたコンパートメントと、
を備えるテキスタイル装置（１）。
【請求項２】
前記伸縮性接続領域（１２）が、前記第１のテキスタイル部分（１０）及び／又は前記第２のテキスタイル部分（１３）にある、請求項１に記載のテキスタイル装置。
【請求項３】
前記電子装置（２）及び前記コンパートメントが、前記接続領域（１２、２２）の近傍に相補的レリーフ特徴（１４、２４）を有する縁を含み、これにより、前記相補的レリーフ特徴が相互に係合するときに前記伸縮性接続領域（１２）が前記パス接続領域（２２）と接触する、請求項１又は請求項２のいずれか一項に記載のテキスタイル装置。
【請求項４】
前記伸縮性接続領域（１２）が、導電性材料で作製された又は導電性材料で被覆された導電糸を織る又は編むことによって、好ましくは銀などの導電性金属で被覆された糸を織る又は編むことによって得られる導電性テキスタイルを含む、請求項１〜請求項３のいずれか一項に記載のテキスタイル装置。
【請求項５】
前記伸縮性接続領域（１２）が、前記テキスタイル部分（１０、１３）に導電インクでプリントすることによって得られる導電性テキスタイルを含む、請求項１〜請求項４のいずれか一項に記載のテキスタイル装置。
【請求項６】
前記第２のテキスタイル部分（１３）が弾性材料で作製される、請求項１〜請求項５のいずれか一項に記載のテキスタイル装置。
【請求項７】
前記第２のテキスタイル部分（１３）が前記第１のテキスタイル部分（１０）に縫い付けられる、請求項１〜請求項６のいずれか一項に記載のテキスタイル装置。
【請求項８】
前記コンパートメント（１３）が、前記第２のテキスタイル部分（１３）を前記第１のテキスタイル部分（１０）に縫い付けることによって得られるポケットである、請求項１〜請求項７のいずれか一項に記載のテキスタイル装置。
【請求項９】
前記テキスタイルの少なくとも１つの導電部（１１）が、導電性材料で作製された又は導電性材料で被覆された導電糸を織る又は編むことによって、好ましくは銀などの導電性金属で被覆された糸を織る又は編むことによって得られる、請求項１〜請求項８のいずれか一項に記載のテキスタイル装置。
【請求項１０】
前記テキスタイルの少なくとも１つの導電部（１１）が、導電性フィルムの堆積によって得られる、請求項１〜請求項８のいずれか一項に記載のテキスタイル装置。
【請求項１１】
前記テキスタイルの少なくとも１つの導電部（１１）が、導電インクでプリントすることによって得られる、請求項１〜請求項８のいずれか一項に記載のテキスタイル装置。
【請求項１２】
電子テキスタイル（３）であって、
請求項１〜請求項１１のいずれか一項に記載のテキスタイル装置（１）と、
パス接続領域（２２）及び前記パス接続領域（２２）から延びる少なくとも１つの導電パス（２１）を備える電子装置（２）と、
を備える電子テキスタイル（３）。
【請求項１３】
前記電子装置（２）が、フレキシブルプリント回路基板と、前記フレキシブルプリント回路基板上に固定されたバッテリを備える、請求項１２に記載の電子テキスタイル。
【請求項１４】
前記第１のテキスタイル部分（１０）が前記電子衣類（４）の一部である、請求項１２又は請求項１３のいずれか一項に記載の電子テキスタイル（３）を備える電子衣類（４）。
【請求項１５】
前記電子装置（２）がオキシメータを備え、前記第１のテキスタイル部分（１０）が開口部を備え、前記オキシメータと前記開口部は、前記電子装置（２）が前記コンパートメント（１３）内に配置されるときに互いに向き合うように構成される、請求項１４に記載の電子衣類（４）。
【発明の詳細な説明】
【技術分野】
【０００１】
本発明は、スマート衣類、及び、電子テキスタイル又はスマート衣類と接続するための電子回路接続システムの分野に関する。
【背景技術】
【０００２】
スマート衣類及びテキスタイルは、テキスタイルの制約に適合する媒体に電子装置を組み込むことを必要とする。これらの制約に耐えるために、電子装置は、可撓性であって、防水性でなければならず、且つユーザにとって不快とならないように限られた厚さを有するべきである。電子装置はまた、その日常の使用（取り扱う、洗濯する、乾燥させる、畳むこと…）においてテキスタイル又は衣類が受けるすべての応力に耐えることができなければならない。
【０００３】
スマート衣類には、多くの場合、オンボードの電子回路が含まれる。電子回路は、多くの場合、プリント回路によって相互接続される電子部品の組を備える。電子回路技術は、システムオンチップなどの他の技術に比べて、妥当なコスト、効果的な品質管理、及び多数のコンポーネントを集積する能力をもつ成熟した技術となるように長年開発されてきた。電子回路を使用することの別の利点は、例えば、衣類の劣化後にそれらを交換できることである。
【０００４】
これに関連して、電子回路をテキスタイルに接続する方法を開発する必要性がある。いくつかの方法があるが依然として多くの欠点がある。特に、ほとんどの既存の接続は、かなりの厚み、洗濯中に他の衣服に引っかかる突出部、ユーザによる位置決め及び挿入の難しさ、或いはケーブル又は露出したワイヤの存在を伴う。
【０００５】
まず第一に、テキスタイルの導電部を電子回路に接続するために、テキスタイルの導電糸を電子回路のトラックに溶接により接続する方法がある。この方法により、テキスタイルに接続される装置のサイズと重量の両方を制限することができる。しかしながら、各コンポーネントをテキスタイルの各配線又は導電部分に溶接するプロセスは時間がかかり、自動化するのは難しい。加えて、この方法は、溶接軸に応力が集中する傾向があり、溶接されたテキスタイルの導電糸が破断するリスクが高い。
【０００６】
電子装置とテキスタイルを接続するために留め金を設ける方法も公知である。その場合、留め金は、一方の側でテキスタイルに、他方の側で電子回路に、取り外し可能に接続される。しかしながら、接続は１つ又は複数のポイントでのみなされるので、装置の一方の端で制約がある場合に接続が脆弱になり、したがって接続が不安定になる。加えて、このような接続方法に固有の剛性は、ユーザに不快感を与えることがあり、接続をさらに弱めることがある。
【０００７】
別の一般的な解決策は、スナップファスナを使用することであるが、接続の数が増えるので、スナップファスナで覆われる面積が大きくなり過ぎてユーザにとってあまり快適ではなくなり、電子モジュールの固定又は取り外しが難しくなる。
【発明の概要】
【発明が解決しようとする課題】
【０００８】
したがって、本発明の目的は、電子テキスタイルの導電領域に電気的及び機械的に接続するように構成され、日常の使用においてテキスタイル又は衣類が受ける応力に耐えることができる電子回路を備える新しいシステムを開発することである。本発明に係る装置は、複雑な動作の実施なしにテキスタイルに固定される及びテキスタイルから取り外されるように構成される。本発明に係る装置はさらに、テキスタイルのユーザによって不快感なく着用されるように構成される。
【課題を解決するための手段】
【０００９】
本発明は、パス接続領域を有する導電パスを備える電子装置と協働するように構成されたテキスタイル装置であって、
‐テキスタイル装置と電子装置との電気的接続を確実なものにするために電子装置のパス接続領域と接触するように構成された伸縮性接続領域に接続された導電部を含む第１のテキスタイル部分であって、伸縮性接続領域は、導電性テキスタイル、又はフレキシブルな導電性フィルムで被覆されたテキスタイルを含む第１のテキスタイル部分と、
‐第１のテキスタイル部分と第２のテキスタイル部分との間に画定され、電子装置をテキスタイル装置に対して所定の位置に維持して、伸縮性接続領域とパス接続領域との電気的接続を確実なものにするように構成されたコンパートメントと、
を備えるテキスタイル装置に関する。
【００１０】
本発明の意味の範囲内で、導電性テキスタイルは、その導電性がテキスタイル繊維自体に起因するテキスタイルであり、導電性材料で作製された糸、或いは個々に各糸の外面を被覆すること又はひとまとめにテキスタイルの表面に導電インクでプリントすることのいずれかにより導電性材料で被覆された非導電糸であり得る。
【００１１】
このようなテキスタイル装置の構造は、有利なことに、電子装置を受け入れ、テキスタイルが受ける応力に耐えることができるテキスタイル装置と電子装置との電気的接続をもたらすように構成されたコンパートメントを提供する。より正確には、導電性テキスタイル又はフレキシブルな導電性フィルムで被覆されたテキスタイルを含む、伸縮性接続領域の機械的特性により、接続領域の近くのテキスタイル装置が引き裂かれるリスクが大いに低減し、テキスタイル装置の機械的抵抗及び耐久性が向上する。
【００１２】
テキスタイル装置の第１及び／又は第２のテキスタイル部分は、糸の集成体によって得られる材料で作製され得る。導電部を備えるテキスタイルを使用することにより、すべての導電トラックがテキスタイル自体に一体化されるので、コンパクトで着用しやすいスマート衣類を製造することができる。
【００１３】
一実施形態では、第１のテキスタイル部分は、弾性テキスタイル材料で作製される。
【００１４】
一実施形態では、第１のテキスタイル部分の導電部は、導電性材料で作製された又は導電性材料を含む導電糸を織る又は編むことによって得られる。一実施形態によれば、導電性材料は銀である。
【００１５】
一実施形態では、第１のテキスタイル部分の導電部は、導電性材料で被覆された導電糸を織る又は編むことによって得られる。１つの好ましい実施形態では、第１のテキスタイル部分の導電部は、銀などの導電性金属で被覆された糸を織る又は編むことによって得られる。
【００１６】
一実施形態では、第１のテキスタイル部分の導電部は、第１のテキスタイル部分に導電インク又は導電塗料でプリントすることによって得られる。前記導電インク又は導電塗料は、典型的には、導電インク又は導電塗料がフレキシブルな表面上に堆積されることを可能にする可撓性の特性を有する導電性材料を含有する。
【００１７】
一実施形態では、導電部は、導電性フィルムを第１のテキスタイル部分に堆積させることによって得られる。一実施形態では、導電部は、熱接着材料で作製された少なくとも１つの熱接着層によってテキスタイルの表面に結合された少なくとも１つの導電インクの層、及び第１のテキスタイル表面と導電パスとの間に配置された少なくとも１つの弾性膜を備える。前記フィルム又は導電インクは、銀、銅、他の金属、又は炭素などの１つの導電性金属又は導電性金属の組み合わせを含み得る。
【００１８】
一実施形態によれば、第１のテキスタイル部分は、それぞれ伸縮性接続領域に接続された複数の導電部を備える。一実施形態では、電子装置は、それぞれパス接続領域に接続された複数の導電パスを備える。一実施形態では、第１のテキスタイル部分の導電部の数は、電子装置の導電パスの数に等しい。
【００１９】
一実施形態では、導電部は、テキスタイル装置と電子装置との電気的接続を確立するために電子装置の少なくとも１つの導電パスと電気的に接触するように構成される。一実施形態によれば、接続領域は、導電部の一端に存在する。代替的な実施形態によれば、電子装置の少なくとも１つの導電パスとそれぞれ電気的接続を確立するように、複数の接続領域が導電部に沿って分布する。
【００２０】
一実施形態によれば、テキスタイル装置と協働するように構成された電子装置は、電子回路、特に縁を含むプリントされた電子回路である。一実施形態によれば、パス接続領域は、電子装置の縁の近傍に又は縁のうちの１つに配置される。一実施形態によれば、パス接続領域は、所定の表面を有する導電領域である。前記所定の表面は、電気的接続品質を向上させるために伸縮性接続領域へのより大きい接触域をもたらすように拡大され得る。
【００２１】
一実施形態によれば、第２のテキスタイル部分は、コンパートメントを画定するべく第１のテキスタイル部分に機械的に接続される。一実施形態によれば、第２のテキスタイル部分は、第１のテキスタイル部分に縫い付けられる。１つの代替的な実施形態では、第２のテキスタイル部分は、熱接着結合によって第１のテキスタイル部分に機械的に接続される。
【００２２】
第２のテキスタイル部分は、糸の集成体によって得られた材料で作製され得る。一実施形態によれば、第２のテキスタイル部分は、弾性材料で作製される。
【００２３】
一実施形態によれば、第１のテキスタイル部分と第２のテキスタイル部分との間に画定されるコンパートメントは、弾性材料又は弾性繊維で作製される。
【００２４】
一実施形態によれば、コンパートメントは、第１のテキスタイル部分の上に第２のテキスタイル部分を縫い付けることによって得られるポケットである。この実施形態によれば、ポケットは、電子装置をポケットの開口部からスライドさせて導入することができるように構成される。その場合、電子装置は、ポケットコンパートメントに及びポケットコンパートメントからスライドさせて容易に出し入れすることができる。
【００２５】
一実施形態によれば、コンパートメントは、電子装置を所定の位置に維持するように構成された寸法を有し、前記所定の位置は、電子装置がテキスタイル装置のコンパートメント内に配置されるときに伸縮性接続領域とパス接続領域との物理的接触と電気的接続との両方を確実なものにするために、テキスタイルの伸縮性接続領域を電子装置の各パス接続領域に対向するように配置することを可能にする。コンパートメントの長さ及び幅の寸法は、およそ１ｃｍ〜１０ｃｍの範囲の長さ及び幅の寸法とおよそ０．５ｍｍから３０ｍｍの間の高さを有する電子装置に適合するように、およそ１ｃｍ〜１０ｃｍの範囲であり得る。第２のテキスタイル部分の弾性は、有利なことに、電子装置がポケット内に配置されるときに電子装置に力を及ぼし、したがって、電子装置を所定の位置に維持することに寄与する。
【００２６】
コンパートメントを画定する第１のテキスタイル部分及び／又は第２のテキスタイル部分は、コンパートメント内で電子装置が滑るのを阻止し、電子装置を所定の位置に維持するための少なくとも１つの滑り止め手段を備え得る。前記少なくとも１つの滑り止め手段は、スナップボタン又はベルクロ（登録商標）ストラップであり得る。
【００２７】
一実施形態によれば、伸縮性接続領域は、例えば銀などの導電性材料で作製された又は導電性材料を含む導電糸を織る又は編むことによって得られる導電性テキスタイルを含む。
【００２８】
一実施形態によれば、伸縮性接続領域は、導電性材料で被覆された導電糸を織る又は編むことによって、好ましくは銀などの導電性金属で被覆された糸を織る又は編むことによって得られる導電性テキスタイルを含む。
【００２９】
一実施形態によれば、伸縮性接続領域は、テキスタイルの一部に導電インク又は導電塗料でプリントすることによって得られる導電性テキスタイルを含む。導電インク又は導電塗料は、導電インク又は導電塗料がフレキシブルな表面上に堆積されることを可能にする可撓性の特性を有する導電性材料を含有する。
【００３０】
一実施形態によれば、伸縮性接続領域は、フレキシブルな導電性フィルムで被覆されたテキスタイルを含む。一実施形態では、導電部は、熱接着材料で作製された少なくとも１つの熱接着層によってテキスタイルの表面に結合された少なくとも１つの導電インク層、及び第１のテキスタイル表面と導電パスとの間に配置された少なくとも１つの弾性膜を備える。前記フィルム又は導電インクは、銀、銅、他の金属、又は炭素などの１つの導電性金属又は導電性金属の組み合わせを含み得る。
【００３１】
一実施形態によれば、伸縮性接続領域は、第１のテキスタイル部分及び／又は第２のテキスタイル部分にある。或る伸縮性接続領域は、第１のテキスタイル部分の第１の部分的な伸縮性接続部分と、第２のテキスタイル部分の第２の部分的な伸縮性接続部分を含むことができ、第１の部分的な伸縮性接続部分と第２の部分的な伸縮性接続部分は、第２のテキスタイル部分が第１のテキスタイル部分に機械的に接続されてコンパートメントを形成するときに機械的に接続される。１つの代替的な実施形態では、伸縮性接続領域は、それが接続される導電部などの第１のテキスタイル部分ですべて構成される。この実施形態では、伸縮性接続領域は、第２のテキスタイル部分が第１のテキスタイル部分に機械的に接続されるときに形成されるコンパートメントの縁のうちの１つに近接又は接触するように第１のテキスタイル部分に配置される。一実施形態では、伸縮性接続領域は、第２のテキスタイル部分ですべて構成され、伸縮性接続領域は、第２のテキスタイル部分が第１のテキスタイル部分に機械的に固定されてコンパートメントを画定するときに、第１のテキスタイル部分の導電部と電気的及び機械的に接続される。一実施形態によれば、伸縮性接続領域はコンパートメントの底部に配置される。
【００３２】
テキスタイルに剛体を挿入するのではなく、伸縮性接続領域を使用することには、テキスタイルにかかる応力に対してより頑健な構造がもたらされ、電子装置とテキスタイルとの電気的接続を維持しながらテキスタイル自体の非弾性変形が少なくなるという利点がある。実際、テキスタイルに応力がかかると、相互作用する表面のうちの１つは導電性テキスタイルであるため互いにしっかりとは固定されていない電子装置とテキスタイル装置の接続領域は、電気的接続を維持しながら相対変位を許すことができる。反対に、電子装置にしっかりと固定されているテキスタイルを通して挿入された又はテキスタイル上にある剛体は、接続領域の相対変位を許容せず、テキスタイルに応力がかかる場合、剛体はテキスタイル構造に直接応力を伝達し、したがってその劣化を引き起こす。
【００３３】
一実施形態では、第１のテキスタイル部分が第２のテキスタイル部分に機械的に接続されるコンパートメントの縁は直線的であり、どのような突起又はノッチも備えない。
【００３４】
一実施形態によれば、電子装置及びコンパートメントは、接続領域の近傍に相補的レリーフ特徴を有する縁を含み、これにより、相補的レリーフ特徴が相互に係合するときに伸縮性接続領域がパス接続領域と接触する。
【００３５】
一実施形態によれば、コンパートメントは、伸縮性接続領域の近傍に少なくとも１つの第１のレリーフ特徴を備え、第１のレリーフ特徴は、パス接続領域の近傍の電子装置によって構成される第２のレリーフ特徴と相補的である。
【００３６】
一実施形態によれば、伸縮性接続領域の近傍のコンパートメントのレリーフ特徴は、電子装置がコンパートメントの底部に当接するときに電子装置及びコンパートメントの相補的レリーフ特徴が相互に係合することになるように、コンパートメントの底部に形成される。相補的レリーフ特徴は、ノッチ及び突起であり得る。
【００３７】
一実施形態によれば、第１のレリーフ特徴はノッチであり、第２のレリーフ特徴は突起である、又はこの逆である。
【００３８】
一実施形態によれば、コンパートメントは、その縁の１つに少なくとも１つのノッチを備え、また、少なくとも１つの伸縮性接続領域の近傍に少なくとも１つの突起を備え、ノッチ及び突起の各ペアは、電子装置の突起及びノッチの相補的ペアと協働するように構成される。
【００３９】
これらの実施形態では、ノッチ及び／又は突起の形状は、テキスタイルの導電部と電子装置の最適な機械的接触及び電気的接続を確実なものにするために、突起及び／又はノッチの形状と相補的である。ノッチの最大深さは、０．００１ｍｍ〜１０ｍｍの範囲であってよく、一方、突起は、０．００１ｍｍ〜１０ｍｍの範囲の高さを有し得る。
【００４０】
一実施形態では、テキスタイル装置は、電子ノイズを低減するために１つ以上の導電部を互いから分離する、複数の遮蔽ゾーンを備える。
【００４１】
本発明はさらに、前述の実施形態のいずれか１つに係るテキスタイル装置と電子装置とを備える電子テキスタイルに関する。
【００４２】
一実施形態によれば、電子装置は、パス接続領域と、前記パス接続領域から延びる少なくとも１つの導電パスとを備える。
【００４３】
一実施形態では、電子装置は、電子回路を備える。一実施形態では、前記電子回路は、フレキシブル電子回路、特にフレキシブルプリント回路である。フレキシブルプリント回路は、その可撓性により、剛性の電子回路を備える衣類よりも快適な衣類の製造を可能にする。
【００４４】
フレキシブル電子回路技術は当業者によく知られている。フレキシブル電子回路は、普通はポリイミドなどの高性能プラスチック基板を使用して構成される。フレキシブル電子回路は、電子部品の電気的及び機械的支持体である。これは、ポリアミド、ポリエーテルエーテルケトン（ＰＥＥＫ）、ポリエステル（ＰＥ）、又は他のタイプの可撓性支持体で作製される。この可撓性支持体により、フレキシブル電子回路を破壊することなく電子装置を折り畳む又は変形させることができる。この可撓性支持体は、樹脂で半硬質カプセル化することによって強化することができ、これにより、十分な屈曲能力を維持しながら回路の最小限の剛性が確保される。電子装置は、ガラス繊維で強化されたエポキシ樹脂タイプ（ＦＲ−４）の剛性支持体などの剛性支持体上で得ることもできる。
【００４５】
一実施形態によれば、電子回路は、電子装置がコンパートメントに導入されるときに伸縮性接続領域と電気的に接触することになる。
【００４６】
テキスタイル装置の導電パスが電気センサに接続される一実施形態によれば、電子装置は、テキスタイル装置からの信号を記録又は分析することができる。電子回路は、信号に応答する又は信号を送信することも可能であり得る。信号送信は、例えば光通信、誘導通信、又は無線通信などを使用して、有線又は無線で行われ得る。
【００４７】
一実施形態では、電子機能を果たすコンポーネントは、電子回路のプリント回路基板（ＰＣＢ）によって支持される。一実施形態では、これらの電子部品は、電子回路のプリント回路にはんだ付けされる。一実施形態では、電子回路は、導電トラックを得るべく導電性材料の層、好ましくは酸化を防ぐためにニッケル及び／又は金で被覆された銅を含む。これらのトラックは、電子回路の様々な領域を、コンポーネントからコンポーネントまでを電気的に接続するか、あるいはコンポーネントからフレキシブル電子回路のエントリポイントとなる少なくとも１つの接続トラックまでを電気的に接続する。図示していない一実施形態では、電子回路は、酸化及び起こり得る短絡からトラックを保護するワニスの層で被覆される。
【００４８】
一実施形態では、電子装置は、溶接プロセスがフレキシブル電子回路と適合しない電子部品の下の特定の領域を補強するために剛性補強材を備える。この実施形態では、電子回路は、可撓性ゾーンによって連結された一連の剛性ゾーンである。
【００４９】
一実施形態によれば、電子装置はさらに、１つ以上の発光ダイオード（ＬＥＤ）及び１つ以上のフォトダイオードを含むオキシメータを備える。一実施形態では、第１のテキスタイル部分は開口部を備え、オキシメータと開口部は、電子装置がコンパートメント内に配置されるときに互いに向き合うように構成される。オキシメータは、電子装置がコンパートメント内に挿入されるときに電子装置の第１のテキスタイル部分に対向する側に配置され、一方、第１のテキスタイル部分の開口部は、電子装置がコンパートメント内に配置されるときにオキシメータが開口部に対向するように構成され得る。
【００５０】
電子装置はさらに、ＰＣＢ上に適用されるか又はモジュールの樹脂内に直接一体化され得る、剛性又は可撓性のいずれかである、バッテリを搭載し得る。
【００５１】
一実施形態では、バッテリは、少なくとも１つの機械的及び電気的接続手段、特にクリップで、ＰＣＢに機械的及び電気的に接続される。この実施形態では、第１のバッテリは、例えば、第１のバッテリの再充電期間中に、第２の既に充電されたバッテリと交換するべく、ＰＣＢから容易に取り外し可能である。
【００５２】
１つの代替的な実施形態では、バッテリは、ＰＣＢに取り外し可能に固定されず、コネクタを使用して又はワイヤレス電力伝送によって、すなわち物理リンクとしてのワイヤなしに電気エネルギーを伝送することによって、再充電されるように構成される。一例では、テキスタイル装置のバッテリを誘導充電することにより再充電するのにユーザの電話デバイスが用いられ得る。一実施形態では、テキスタイル装置は、バッテリと外部電子装置との間のワイヤレス電力伝送を行うために、Ｑｉ規格で動作する２つの平面コイル間の誘導結合を使用して５Ｗ未満の電力を送る低電力誘導伝送を実装する。
【００５３】
一実施形態によれば、テキスタイル装置は、外部電気装置を取り入れる及び保持するように適合された寸法を有し、ワイヤレス電力伝送を行うために外部電気装置をバッテリの近傍に配置することを可能にする第２のポケットを備える。一例では、第３のテキスタイル部分が、コンパートメントと重なる第２のポケットを画定するべく第１のテキスタイル部分上に又は第２のテキスタイル部分上に縫い付けられ得る。
【００５４】
本発明はさらに、前述の実施形態のいずれか１つに係る、電子テキスタイルを備える電子衣類に関する。一実施形態によれば、第１のテキスタイル部分は、電子衣類の一部である。前記電子衣類は、シャツ、Ｔシャツ、ズボン、帽子、バンド、靴下、手袋、パンツ、タイツ、アームバンド、バンドゥ、足首又は肩パッドなどであり得る。
【００５５】
一実施形態によれば、電子装置はオキシメータを備え、第１のテキスタイル部分は開口部を備え、前記オキシメータと前記開口部は、電子装置がコンパートメント内に配置されるときに互いに向き合うように構成され、ゆえに、電子衣類が被検者によって着用されるときに、オキシメータは被検者の皮膚に近接又は接触して配置される。
【００５６】
これは、有利なことに、スマート衣類が長期間（数日など）にわたって連続的に測定を行うことを可能にする。患者は、着替えるときに、技術者の助けを借りずに古い衣類から電子装置を取り外して新しい衣類に取り付けることができる。したがって、患者は自律的であり、日常の活動を変えることなく、この種の測定を行うことができる。
【００５７】
定義
本発明において、以下の用語は以下の意味を有する。
‐「テキスタイル」は、テキスタイル繊維によって製造された材料又は製品を指す。テキスタイルは、例えば、織る、編組、又は編む、又は不織などの任意の方法、又は当該技術分野で公知の任意の他の方法により、例えば糸、繊維、及び／又はフィラメントを集成することによって得ることができる。
‐「スマート衣類」は、電気信号を送信又は受信するように構成された少なくとも１つの導電部を備える、被検者が着用可能な任意のテキスタイルを指す。
‐「プリント回路基板」は、基板上に導電性材料がプリントされ、異なる電気コンポーネントを結合することができ、さらに、電気コンポーネントの各組は異なる目的を達成することができる、導電性配線システムを指す。
【００５８】
本発明の特徴及び利点は、本発明に係るテキスタイル装置、電子テキスタイル、及び電子衣類の実施形態の以下の説明から明らかとなり、この説明は、単なる例として添付図を参照して与えられる。
【図面の簡単な説明】
【００５９】
【図１】電子装置が第１のテキスタイル部分に挿入されておらず、電子装置の一部である、本発明の第１の実施形態に係るテキスタイル装置の図である。
【図２】電子装置がコンパートメント内に挿入されている、本発明の第１の実施形態に係るテキスタイル装置の図である。
【図３】本発明の第２の実施形態に係るテキスタイル装置を引きで見た図である。
【図４】図２又は図３のテキスタイル装置を衣類の一部として備える、本発明に係る電子衣類の略図である。
【発明を実施するための形態】
【００６０】
図１に示すように、第１の実施形態に係るテキスタイル装置１は、第１のテキスタイル部分１０を備える。前記第１のテキスタイル部分１０は、導電糸を織る又は編むことによりテキスタイルに挿入することによって得ることができる複数の導電部１１を備える。図１はまた、それぞれ電子装置２の縁に位置するパス接続領域２２を有する、複数の導電パス２１を備える電子装置２の一部を示す。
【００６１】
この第１の実施形態では、各導電部１１は、テキスタイル装置１と電子装置２との電気的接続を確実なものにするために導電パス２１のパス接続領域２２と接触するように構成された１つの伸縮性接続領域１２を備え、伸縮性接続領域１２は、導電性テキスタイル又はフレキシブルな導電性フィルムで被覆されたテキスタイルを含む。
【００６２】
第１の実施形態によれば、テキスタイル装置１はさらに、電子装置２をスライドさせて入れることができるコンパートメントを画定するべく第１のテキスタイル部分１０に機械的に接続された第２のテキスタイル部分１３を備え、スライド方向は図１の矢印で示される。
【００６３】
図２に例示するように、コンパートメントは、電子装置２を所定の位置に維持するように構成され、第１のテキスタイル部分１０の伸縮性接続領域１２と対向する電子装置２のパス接続領域２２の物理的接触、したがって、電子接続を確実なものにする。この特徴により、第１のテキスタイル部分１０を備える衣類を被検者が着用して活動しているときに、電子装置をテキスタイル装置１に作動的に接続された状態に保つことができる。
【００６４】
この第１の実施形態では、電子装置２及びコンパートメントは、伸縮性接続領域１２及びパス接続領域２２の近傍にそれぞれ相補的レリーフ特徴（１４、２４）を有する縁を含み、これにより、相補的レリーフ特徴（１４、２４）が相互に係合するときに伸縮性接続領域１２がパス接続領域２２と接触する。
【００６５】
図１では、コンパートメントの底部に存在する伸縮性接続領域１２の近くにある相補的レリーフ特徴はノッチ１４である。電子装置２は、その縁に沿って、コンパートメントのノッチ１４の数と同じ数の突起２４の形状の相補的レリーフ特徴を備える。電子装置２の突起２４は、コンパートメント１３のノッチに収まるように適合された平たい半円形の形状及び寸法を有する。
【００６６】
この第１の実施形態によれば、伸縮性接続領域１２は、第１のテキスタイル部分１０（図示せず）及び第２のテキスタイル部分１３にある。第２のテキスタイル部分１３にある伸縮性接続領域１２は、半円形の形状の拡大された導電領域を有する。
【００６７】
図３に示す第２の実施形態では、コンパートメントは、第１のテキスタイル部分１０と第２のテキスタイル部分１３を機械的に結合することによって得られるポケットである。したがって、電子装置２は、ポケットに及びポケットからスライドさせて容易に出す及び入れることができる。この第２の実施形態では、付加的な滑り止め手段が用いられない場合、コンパートメントは、電子装置２に一定の滑り止め力を及ぼしてコンパートメント１３から滑り落ちるのを防ぐために、弾性材料又は弾性繊維で作製される。
【００６８】
この第２の実施形態では、第１のテキスタイル部分１０に機械的に接続されたポケットの縁はノッチを有しておらず、第１のテキスタイル部分１０の導電部１１と電子装置２の導電パス２１との接触はポケットの底部でなされる。
【００６９】
図４は、図２又は図３に示した第２の実施形態に係るテキスタイル装置１を備える電子衣類４を示す。
【００７０】
この実施形態では、テキスタイル装置１は衣類４の一部であり、テキスタイル装置１の導電パス１１は複数の電気センサ４１に接続される。これらのセンサは、心電図信号を記録する、筋電図信号を記録するなどのための、電極などの電気生理学センサであり得る。
【符号の説明】
【００７１】
１：  テキスタイル装置
２：  電子装置
３：  電子テキスタイル
１０：  第１のテキスタイル部分
１１：  第１のテキスタイル部分の導電部
１２：  第１の接続領域
１３：  コンパートメント
２１：  導電パス
２２：  パス接続領域
４：  衣類
４１：  センサ
【図１】
2022500189.tif 000003
【図２】
2022500189.tif 000004
【図３】
2022500189.tif 000005
【図４】
2022500189.tif 000006
【手続補正書】
【提出日】令和3年6月23日(2021.6.23)
【手続補正１】
【補正対象書類名】特許請求の範囲
【補正対象項目名】全文
【補正方法】変更
【補正の内容】
【特許請求の範囲】
【請求項１】
パス接続領域（２２）を有する導電パス（２１）を備える電子装置（２）と協働するように構成されたテキスタイル装置（１）であって、
前記テキスタイル装置（１）と前記電子装置（２）との間の電気的接続を確実なものにするために前記パス接続領域（２２）と接触するように構成された伸縮性接続領域（１２）に接続された導電部（１１）を含む第１のテキスタイル部分（１０）であって、前記伸縮性接続領域（１２）は、導電性テキスタイル、又はフレキシブルな導電性フィルムで被覆されたテキスタイルを含む、第１のテキスタイル部分（１０）と、
前記第１のテキスタイル部分（１０）と第２のテキスタイル部分（１３）との間に画定され、前記電子装置（２）を前記テキスタイル装置（１）に対して所定の位置に維持し、前記伸縮性接続領域（１２）と前記パス接続領域（２２）との間の電気的接続を確実なものにするように構成されたコンパートメントと、
を備え、前記電子装置（２）及び前記コンパートメントは、前記接続領域（１２、２２）の近傍に相補的レリーフ特徴（１４、２４）を有する縁を含み、これにより、前記相補的レリーフ特徴が相互に係合するときに前記伸縮性接続領域（１２）がパス接続領域（２２）と接触する、
テキスタイル装置（１）。
【請求項２】
前記伸縮性接続領域（１２）が、前記第１のテキスタイル部分（１０）及び／又は前記第２のテキスタイル部分（１３）にある、請求項１に記載のテキスタイル装置。
【請求項３】
前記伸縮性接続領域（１２）が、導電性材料で作製された又は導電性材料で被覆された導電糸を織る又は編むことによって、好ましくは銀などの導電性金属で被覆された糸を織る又は編むことによって得られる導電性テキスタイルを含む、請求項１又は請求項２に記載のテキスタイル装置。
【請求項４】
前記伸縮性接続領域（１２）が、前記テキスタイル部分（１０、１３）に導電インクでプリントすることによって得られる導電性テキスタイルを含む、請求項１〜請求項３のいずれか一項に記載のテキスタイル装置。
【請求項５】
前記第２のテキスタイル部分（１３）が弾性材料で作製される、請求項１〜請求項４のいずれか一項に記載のテキスタイル装置。
【請求項６】
前記第２のテキスタイル部分（１３）が前記第１のテキスタイル部分（１０）に縫い付けられる、請求項１〜請求項５のいずれか一項に記載のテキスタイル装置。
【請求項７】
前記コンパートメント（１３）が、前記第２のテキスタイル部分（１３）を前記第１のテキスタイル部分（１０）に縫い付けることによって得られるポケットである、請求項１〜請求項６のいずれか一項に記載のテキスタイル装置。
【請求項８】
前記テキスタイルの少なくとも１つの導電部（１１）が、導電性材料で作製された又は導電性材料で被覆された導電糸を織る又は編むことによって、好ましくは銀などの導電性金属で被覆された糸を織る又は編むことによって得られる、請求項１〜請求項７のいずれか一項に記載のテキスタイル装置。
【請求項９】
前記テキスタイルの少なくとも１つの導電部（１１）が、導電性フィルムの堆積によって得られる、請求項１〜請求項７のいずれか一項に記載のテキスタイル装置。
【請求項１０】
前記テキスタイルの少なくとも１つの導電部（１１）が、導電インクでプリントすることによって得られる、請求項１〜請求項７のいずれか一項に記載のテキスタイル装置。
【請求項１１】
電子テキスタイル（３）であって、
請求項１〜請求項１０のいずれか一項に記載のテキスタイル装置（１）と、
パス接続領域（２２）及び前記パス接続領域（２２）から延びる少なくとも１つの導電パス（２１）を備える電子装置（２）と、
を備える電子テキスタイル（３）。
【請求項１２】
前記電子装置（２）が、フレキシブルプリント回路基板と、前記フレキシブルプリント回路基板上に固定されたバッテリを備える、請求項１１に記載の電子テキスタイル。
【請求項１３】
前記第１のテキスタイル部分（１０）が前記電子衣類（４）の一部である、請求項１１又は請求項１２のいずれか一項に記載の電子テキスタイル（３）を備える電子衣類（４）。
【請求項１４】
前記電子装置（２）がオキシメータを備え、前記第１のテキスタイル部分（１０）が開口部を備え、前記オキシメータと前記開口部は、前記電子装置（２）が前記コンパートメント（１３）内に配置されるときに互いに向き合うように構成される、請求項１３に記載の電子衣類（４）。
【国際調査報告】
2022500189.tif 000007
2022500189.tif 000008